(57)【要約】【課題】シャッターケースを分割することで、メンテナンス作業等の作業性を向上させる。【解決手段】巻取体４の駆動軸４３と開閉機５の出力軸５２が伝動連結部を介して直線的に連結されており、シャッターケース８の幅方向一側部位は、開口幅を越えて外側に延びる延出部位であり、開閉機５及び前記伝動連結部は、開口部上方の外側に位置して前記延出部位内に収容されており、前記延出部位の少なくとも前面を含む部位が分割部８´として取り外し可能に構成されている。【選択図】図１０
2020051177.tif 000002
【特許請求の範囲】
【請求項１】
シャッターカーテンと、
シャッターカーテンの幅方向両端部位をそれぞれ受け入れて案内する左右のガイドレールと、
シャッターカーテンを巻き取る巻取体と、
開閉機と、
前記巻取体、巻取体に巻き取られたシャッターカーテン、前記開閉機を収容するシャッターケースと、
を備え、
前記巻取体の駆動軸と前記開閉機の出力軸が伝動連結部を介して直線的に連結されており、
前記シャッターケースの幅方向一側部位は、開口幅を越えて外側に延びる延出部位であり、
前記開閉機及び前記伝動連結部は、開口部上方の外側に位置して前記延出部位内に収容されており、
前記延出部位の少なくとも前面を含む部位が分割部として取り外し可能に構成されている、
シャッター装置。
【請求項２】
前記開口部の一側のガイドレールは正面視垂直状の外端縁を形成しており、前記外縁端と前記分割部の側端縁は垂直方向に連続している、
請求項１に記載のシャッター装置。
【請求項３】
前記延出部位内には、前記開閉機に近接して自動閉鎖装置が設けてあり、
前記自動閉鎖装置には、当該自動閉鎖装置を手動操作するためのワイヤが連結されている、
請求項１、２いずれか１項に記載のシャッター装置。
【請求項４】
前記一側のガイドレールの外側に隣接して前記ワイヤを収容するワイヤ収容部が高さ方向に亘って設けてあり、
前記正面視垂直状の外端縁は、前記ガイドレールと前記ワイヤ収容部の境界であり、
前記ワイヤの上方部位は、前記ワイヤ収容部の上端から前記延出部位内に延びている、
請求項３に記載のシャッター装置。
【発明の詳細な説明】
【技術分野】
【０００１】
本発明は、シャッター装置に係り、より詳しくは、シャッターケースの構成に特徴を備えたシャッター装置に関するものである。
【背景技術】
【０００２】
シャッターカーテンと、シャッターカーテンの幅方向両端部位をそれぞれ受け入れて案内する左右のガイドレールと、シャッターカーテンを巻き取る巻取体と、開閉機と、前記巻取体、巻取体に巻き取られたシャッターカーテン、前記開閉機を収容するシャッターケースと、を備えたシャッター装置において、従来のシャッターケースの正面ケース板は、シャッターケース全幅において一体物で形成されている。
【０００３】
シャッターケースの正面板が全幅において一体物で形成されていると、シャッターケース内に収容された開閉機や伝動連結部のメンテナンス等が必要な時に、正面ケース板全体を取り外す必要があることから、特に正面ケース板の外形寸法が大きく重量がある場合には、メンテナンス作業等の作業性が悪くなっていた。
【０００４】
特許文献１には、幅方向一側部位が開口幅を越えて外側に延びる延出部位となっているシャッターケース（すなわち、幅寸法が大きい）が開示されているが、シャッターケースの正面ケース板についての具体的な記載は無い。
【０００５】
特許文献１は、手動閉鎖装置を備えた遮煙シャッターが開示するものであるが、遮煙シャッターないし防煙シャッターは、火災検知信号の入力によって自動閉鎖装置が作動して開閉機のブレーキを解放してシャッターカーテンを自重降下させて防火区画ないし防煙区画を形成するようになっている。このような防煙シャッターは、手動操作によってもシャッターカーテンの自重降下が可能なように構成されており、自動閉鎖装置と手動閉鎖装置をワイヤで接続し、手動閉鎖装置の非常ボタンを押してワイヤの移動規制を解除することで、自動閉鎖装置を作動させて、開閉機のブレーキを解放してシャッターカーテンを自重降下させる。手動閉鎖装置のワイヤの配線やワイヤと自動閉鎖装置の接続等のメンテナンス作業を行う場合には、正面ケース板全体を取り外す必要があると考えられる。
【０００６】
また、このような手動閉鎖装置の操作部は、建物の壁に取り付けられているため、ワイヤを通すための配管が必要であるが、従来は、特許文献１のように配管を壁内で行ったり、あるいは、ワイヤ配管を壁面に露出させて行っており、前者では作業が手間となっており、後者では意匠性を損ねることになる。
【特許文献１】特開２００４−２９９８０４
【発明の開示】
【発明が解決しようとする課題】
【０００７】
本発明は、シャッターケースを分割することで、メンテナンス作業等の作業性を向上させることを目的とする。
本発明の他の目的は、シャッターケースを分割するものにおいて、作業性及び意匠性を考慮したシャッターケースを提供することにある。
【課題を解決するための手段】
【０００８】
かかる課題を解決するべく本発明が採用した技術手段は、
シャッターカーテンと、
シャッターカーテンの幅方向両端部位をそれぞれ受け入れて案内する左右のガイドレールと、
シャッターカーテンを巻き取る巻取体と、
開閉機と、
前記巻取体、巻取体に巻き取られたシャッターカーテン、前記開閉機を収容するシャッターケースと、
を備え、
前記巻取体の駆動軸と前記開閉機の出力軸が伝動連結部を介して直線的に連結されており、
前記シャッターケースの幅方向一側部位は、開口幅を越えて外側に延びる延出部位であり、
前記開閉機及び前記伝動連結部は、開口部上方の外側に位置して前記延出部位内に収容されており、
前記延出部位の少なくとも前面を含む部位が分割部として取り外し可能に構成されている、
シャッター装置、である。
【０００９】
１つの態様では、前記開口部の一側のガイドレールは正面視垂直状の外端縁を形成しており、前記外縁端と前記分割部の側端縁は垂直方向に連続している。
シャッターケースの前面を幅方向に分割するものでありながら、シャッターケース前面の分割線とガイドレールの外側縁が高さ方向に連続状に延びる垂直線を形成することで、正面視において整然とした意匠となる。
【００１０】
１つの態様では、前記延出部位内には、前記開閉機に近接して自動閉鎖装置が設けてあり、
前記自動閉鎖装置には、当該自動閉鎖装置を手動操作するためのワイヤが連結されている。
分割部を取り外すのみで、シャッターケースの正面ケース板全体を取り外すことなく、手動閉鎖装置のワイヤの配線作業や自動閉鎖装置との接続作業、メンテナンス作業を行うことができる。
【００１１】
１つの態様では、前記一側のガイドレールの外側に隣接して前記ワイヤを収容するワイヤ収容部が高さ方向に亘って設けてあり、
前記正面視垂直状の外端縁は、前記ガイドレールと前記ワイヤ収容部の境界であり、
前記ワイヤの上方部位は、前記ワイヤ収容部の上端から前記延出部位内に延びている。
手動閉鎖装置のワイヤをワイヤ収容部内に設けることで、ワイヤの配管が外部に露出しないので意匠性が良好であり、さらに、ワイヤ収容部とガイドレールとの境界を、分割部の境界と一致させることで、意匠性を向上させている。
【発明の効果】
【００１２】
本発明では、開閉機及び開閉機と巻取体の伝動連結部を収容するシャッターケースの延出部位内の少なくとも前面を含む部位を分割部として取り外し可能に構成したので、正面ケース板全体を取り外すことなく、分割部を取り外すことによって、メンテナンス作業等（手動閉鎖装置を備える場合には、ワイヤの配線作業や接続作業）を行うことができる。
【００１３】
シャッターケースの延出部位は、開口幅を越えて外側に延びる部位、すなわち、一側のガイドレールの上方の外側に位置する部位であるので、正面視において前記ガイドレールの外縁端が形成する垂直線（ワイヤ収容部を備える場合には、ガイドレールの見付面とワイヤ収容部の見付面の境界）を分割部の側端縁と垂直方向に連続させることで、意匠性を向上させることができる。
【図面の簡単な説明】
【００１４】
【図１】本実施形態に係るシャッター装置の正面図である。
【図２】本実施形態に係るシャッター装置の側面図である。
【図３】本実施形態に係るシャッター装置の一部省略横断面図である。
【図４】本実施形態に係るシャッター装置の上方部位を示す縦断面図である。
【図５】（Ａ）はシャッターケースの内部を示す正面図、（Ｂ）はシャッターケースの内部を示す底面図である。
【図６】（Ａ）はガイドレールとワイヤ収容部の上面図、（Ｂ）はワイヤ収容部を当該ワイヤ収容部の見込面側から見た側面図、（Ｃ）は図６（Ｂ）においてワイヤ収容部の見込面の切り欠き部を墨入れして示す図である。
【図７】（Ａ）は手動閉鎖装置のワイヤの配置態様を示すシャッター装置の部分正面図、（Ｂ）は手動閉鎖装置のワイヤの配置態様を示すシャッター装置の部分側面図である。
【図８】ケース本体と分割部の前面部の接続部及びガイドレールとワイヤ収容部の接続部を示す部分正面図、及び、接続されたガイドレールとワイヤ収容部の上面図である。
【図９】図８におけるα―α線縦断面図である。
【図１０】（Ａ）本実施形態に係るシャッターケースの分解斜視図である。（Ｂ）は本実施形態に係る分割部のケース本体への取付を示す部分斜視図である。
【図１１】分割部を取り除いた状態のケース本体の斜視図を示す。
【図１２】分割部を示す図であり、（Ａ）は側面図、（Ｂ）は図（Ａ）の部分拡大図、（Ｃ）は正面図、（Ｄ）は底面図である。
【図１３】本実施形態に係るシャッターケースの延出部位の縦断面図である。
【図１４】（Ａ）は吊持状態にある分割部が第１の方向に回動した状態を示し、（Ｂ）は同分割部が第２の方向に回動した状態を示す。
【発明を実施するための形態】
【００１５】
図１は本実施形態に係るシャッター装置の正面図、図２は同シャッター装置の側面図、図３は同シャッター装置の一部省略横断面図である。本実施形態に係るシャッター装置は、エレベータの出入口Ｅ１の前方の三方枠（側枠Ｅ２、Ｅ３、上枠Ｅ４からなる）が設けられた躯体Ｃに設置され、通常時にはシャッター開放姿勢にあり、火災発生時にエレベータの出入口Ｅ１の前方空間を閉鎖するようになっている。
【００１６】
シャッター装置は、シート状のシャッターカーテン１と、シャッターカーテン１の幅方向両端部をそれぞれ受け入れて案内する左右のガイドレール２、３と、シャッターカーテン１が巻き取られる巻取体４と、巻取体４に回転力を伝達可能に連結されている開閉機５と、火災時等の非常時に全開姿勢にあるシャッターカーテン１を自重降下させる自動閉鎖装置６を備えている。自動閉鎖装置６は、火災検知信号の入力に応答して作動して、全開姿勢にあるシャッターカーテン１を自重降下させて火災発生時にエレベータの出入口Ｅ１の前方空間を閉鎖する。全開姿勢にあるシャッターカーテン１は手動閉鎖装置７からの手動操作によっても自重降下可能となっている。手動閉鎖装置７は、操作部７０と、操作部７０と自動閉鎖装置６とを連結するワイヤＷとを備えており、操作部７０の操作によってワイヤＷを介して自動閉鎖装置６を作動させてシャッターカーテン１を自重降下させる。シャッター装置は、巻取体４及び巻取体４に巻き取られたシャッターカーテン１、開閉機５、自動閉鎖装置６を収納するシャッターケース８を備えている。
【００１７】
シャッターカーテン１は、耐火性のシートからなり、より具体的な態様では、防火性能と防煙性能を備えた耐熱ガラスクロス製スクリーンから形成されている。シャッターカーテン１の幅方向両端部には、抜け止め部材１０が設けてあり、下端には座板１１が設けてある。シャッターカーテン１の全開姿勢時では、開閉機５に内蔵されたブレーキによって巻取体４の回転を規制することでシャッターカーテン１は自重降下規制状態にあり、自動閉鎖装置６の作動によって開閉機５のブレーキが解除されると、シャッターカーテン１は座板１１の重みで降下して全閉姿勢となる。シャッターカーテン１の自重降下時また全閉後に、シャッターカーテン１内外に差圧が生じてシャッターカーテン１が膨らもうとした時には抜け止め部材１０によってシャッターカーテン１の幅方向端部の抜けが防止される。
【００１８】
図１に示すように、ガイドレール２は、躯体Ｃ（側枠Ｅ２の側方の前壁）に高さ方向に亘って設けてある。図３に示すように、ガイドレール２は、高さ方向に延びる長尺部材であり、正面の第１見付面２０と、背面の第２見付面２１と、外側の見込面２２と、内側の見込面２３と、を備え、内側の見込面２３には、高さ方向に延びる細幅のガイド溝２４が形成されており、ガイド溝２４からシャッターカーテン１の幅方向の一端がガイドレール２の内部空間に受け入れられている。ガイドレール２の第２見付面２１には、断面視コ字形状の固定部材２５が設けてあり、躯体Ｃの前壁には、断面視コ字形状の被固定部材２６が設けてあり、ガイドレール２は、固定部材２５の立ち上がり片を螺子によって被固定部材２６の立ち上がり片に固定することで、躯体Ｃに取り付けられている。
【００１９】
図１に示すように、ガイドレール３は、躯体Ｃ（側枠Ｅ３の側方の前壁）に高さ方向に亘って設けてある。図３に示すように、ガイドレール３は、高さ方向に延びる長尺部材であり、正面の第１見付面３０と、背面の第２見付面３１と、外側の見込面３２と、内側の見込面３３と、を備え、内側の見込面３３には、高さ方向に延びる細幅のガイド溝３４が形成されており、ガイド溝３４からシャッターカーテン１の幅方向の一端がガイドレール３の内部空間に受け入れられている。ガイドレール３の第２見付面３１には、断面視Ｌ形状の固定部材３５が設けてあり、躯体Ｃの前壁には、断面視コ字形状の被固定部材３６が設けてあり、ガイドレール３は、固定部材３５の立ち上がり片を螺子によって被固定部材３６の幅方向の一側の立ち上がり片に固定することで、躯体Ｃに取り付けられている。
【００２０】
ガイドレール３の外側に隣接してワイヤ収容部９が高さ方向に亘って設けてある。本実施形態では、ワイヤ収容部９は、ガイドレール３に隣接して設けられ、高さ方向に亘って延びる枠体９´によって形成される。枠体９´は、ガイドレール３の見付面３０と面一で見付面３０に隣接して高さ方向に延びる見付面９０と、ガイドレール３の外側の見込面３２に離間対向して高さ方向に延びる見込面９１と、を備えている。枠体９´は、ガイドレール３の外側の見込面３２に隣接して高さ方向に延びる内側見込面９２（見込寸法は見込み面９１よりも小さい）を備えており、ガイドレール３と枠体９´は、外側の見込面３２と内側見込面９２を連結することで一体化されている。枠体の見込面９１の基端側はＬ形状の連結片９１０が一体形成されており、被固定部材３６の幅方向の他側の立ち上がり片に固定することで、躯体Ｃに取り付けられている。一体化されたガイドレール３と枠体９´は、被固定部材３６を介して躯体Ｃの前壁に取り付けられている。
【００２１】
本実施形態では、ワイヤ収容部９は、枠体９´とガイドレール３の外側の見込面３２から形成されており、枠体９´の見付面９０及び見込面９１、ガイドレール３の外側の見込面３２とで囲まれた高さ方向に延びる空間にワイヤＷを収容するようになっている。ガイドレール３の内部空間とワイヤ収納空間はガイドレールの外側の見込面３２によって仕切られているため、ワイヤＷがシャッターカーテン１の幅方向端部と干渉することがない。本実施形態では、枠体９´の下端は床面ＦＬに達しており、上端はガイドレール３と共にシャッターケース８内まで延びている。
【００２２】
図２、図４に示すように、シャッターケース８は、躯体Ｃ（上枠Ｅ４の上方の前壁）に取り付けられている。図４、図５に示すように、シャッターケース８は、上面８０、前面８１、下面８２、側面８３、８４、後面８５を備えており、上面８０は後側の水平面８００前側の傾斜面８０１とからなる。シャッターケース８は、巻取体４、巻取体４に巻き取られたシャッターカーテン１、開閉機５、自動閉鎖装置６を収納している。
【００２３】
図５に示すように、巻取体４は、シャッターカーテン１が巻き取られる巻取ドラム４０と、巻取ドラム４０の一端側の固定軸４１、巻取ドラム４０の他端側の回転軸４２、回転軸４２に回転を伝達する駆動軸４３、駆動軸４３の先端に設けたスプロケット４４を備えており、固定軸４１が側板４５に支持されており、回転軸４２と駆動軸４３は側板４６に回転自在に支持されている。巻取ドラム４０は巻取ホイールやコイルスプリング（これらは図示せず）を備えているが、このような巻取体４は当業者に既知なので詳細な説明は省略する。また、巻取体４の構成や動作については、特許文献１の記載を参照することができる。側板４５、４６は、下端が内まぐさ材４７に支持されており、側板４５、４６の上端、後端がシャッターケース８の上面８０、後面８５の内面に固定されている。
【００２４】
開閉機５は、開閉機取付台５０に持ち出し状に支持されている。開閉機取付台５０は、板状の面部の下端が内まぐさ材４７に支持されており、面部の上端、後端がシャッターケース８の上面８０、後面８５の内面に固定されている。開閉機５は、ケーシング５１と、ケーシング５１から突出した出力軸５２を備えており、出力軸５２は、開閉機取付台５０の面部から突出している。ケーシング５１は周面を備えており、ケーシング５１には出力軸５２を回転させるモータと、出力軸５２の回転を規制するブレーキが内蔵されている。
【００２５】
開閉機５の出力軸５２の先端にはスプロケット５３が設けてある。スプロケット５３には、出力軸５２の一方向の回転のみが伝達されるクラッチが内蔵されている。スプロケット４４とスプロケット５３はローラチェーンカップリング（図示せず）によって回転が伝動可能に連結されている。すなわち、巻取体４の駆動軸４３と開閉機５の出力軸５２が伝動連結部（スプロケット４４、スプロケット５３、ローラチェーンカップリング）を介して直線的に連結されている。
【００２６】
図５、図７等に示すように、開閉機５の下方に隣接して自動閉鎖装置６が設けてある。自動閉鎖装置６が作動すると開閉機５のブレーキを解放する姿勢となって全開姿勢にあるシャッターカーテン１を自重降下させて火災発生時にエレベータの出入口Ｅ１の前方空間を閉鎖して、防火区画ないし防煙区画を形成する。自動閉鎖装置６は、火災発生時に煙感知器（図示せず）から火災検知信号が入力されると、ブレーキ解放姿勢となって、開閉機５のブレーキを解放し、シャッターカーテン１を自重降下させる。
【００２７】
全開姿勢にあるシャッターカーテン１は手動閉鎖装置７からの手動操作によっても自重降下可能となっている。手動閉鎖装置７は、操作部７０と、操作部７０と自動閉鎖装置６とを連結するワイヤＷとを備えており、操作部７０は、自動閉鎖装置６を作動させる押圧部７１を備え、押圧部７１の押圧操作によってワイヤＷの移動規制を解除して自動閉鎖装置６を作動させてシャッターカーテン１を自重降下させる。操作部７０はレバー７２を備え、レバー７２の回動操作によって、ワイヤＷを引っ張ることで自動閉鎖装置６を復帰させる。このような、自動閉鎖装置６及び手動閉鎖装置７の基本的な構成や動作は当業者に既知であるので、詳細な説明は省略する。
【００２８】
本実施形態に係る手動閉鎖装置７の特徴は、押圧部７１、レバー７２を含む操作部７０がワイヤ収容部９の見付面９０に設けられており、ワイヤＷがワイヤ収容部９内を延びている点にある（図７参照）。本実施形態では、ワイヤ収容部９を形成する枠体９´の下端は床面ＦＬに達しており、上端はガイドレール３と共にシャッターケース８内まで延びている。図６（Ｂ）に示すように、ワイヤ収容部９の見込面９１の上端縁９１１は、ガイドレール３の上端縁３２０と一致しているが、見込面９１の上端部位は方形状に切り欠かれており（図６（Ｃ）参照）、切り欠き縁は、縦縁９１２と下縁９１３とからなる。ワイヤ収容部９の内部空間を通って上方に延びるワイヤＷは、下縁９１３の上側を通って延びている。なお、ガイドレール３の外側の見込面３２の上端には側面視Ｌ形状の部材３２１が連結されている。
【００２９】
本実施形態では、開閉機５及び自動閉鎖装置６は、一方のガイドレール３の上方の外側に位置している。すなわち、シャッターケース８の幅方向一側部位は、開口幅を越えて外側に延びる延出部位であり、延出部位の収納空間に開閉機５及び自動閉鎖装置６が収納されている。ワイヤ収容部９の内部空間を通って上方に延びるワイヤＷは、見込面９１の上方部位の下縁９１３の上側を通ってシャッターケース８の延出部位の収納空間に延びている。収納空間には、開閉機５及び開閉機５の下方に近接して自動閉鎖装置６が設けてあり、自動閉鎖装置６にはワイヤＷが連結されている。
【００３０】
本実施形態では、図７（Ａ）に示すように、シャッターケース８の延出部位の収納空間は、開閉機５の取付台５０によってワイヤ収容部９の上方に位置する第１空間Ｓ１と開閉機５及び自動閉鎖装置６が位置する第２空間Ｓ２とに分けられている。開閉機５の取付台５０には、奥側かつ下方に位置して開口５００が形成されており、第１空間Ｓ１と第２空間Ｓ２は取付台５０に形成された開口５００によって連通しており、ワイヤＷは、開口５００を通って第１空間Ｓ１から第２空間Ｓ２に延びている。ワイヤ収容部９の内部空間を通って上方に延びるワイヤＷは、下縁９１３の上側を通って取付台５０の開口５００を緩やかな角度で挿通して傾斜状に延びており、ワイヤＷの曲げ半径を可及的に大きくしている。
【００３１】
図７に示すように、開閉機５の取付台５０の開口５００を通って第２空間Ｓ２に延びるワイヤＷは、第２空間Ｓ２において開閉機５のケーシング５１の周面に沿って螺旋状に大きく周回して、自動閉鎖装置６に接続されている。より具体的には、第２空間Ｓ２に延びるワイヤＷは、開閉機５の後側から上側を通り、前側を通って下方に延び、前側から自動閉鎖装置６に接続されている。さらに具体的には、ワイヤＷは、開閉機５のケーシング５１の後側とシャッターケース８の後面８５との間の空間を通って延び、ケーシング５１の上側とシャッターケース８の上面８０との間の空間を通って前方に延び、ケーシング５１の前側とシャッターケース８の前面（分割部８´の前面部８６）の間の空間を通ってシャッターケース８の下方に延びており、開閉機５の下側に連結した自動閉鎖装置６に前面から接続される。本実施形態では、手動閉鎖装置７をガイドレール３に隣接して設けたワイヤ収容部９に内蔵することで、ワイヤ収容部９内をワイヤＷが延びるようにしたので、ワイヤを通す配管を壁内に設ける必要がなく、また、配管を壁面に沿って露出させて設ける必要がない。
【００３２】
本実施形態では、シャッターケース８の幅方向一側部位は、開口幅を越えて外側に延びる延出部位であり（図１参照）、巻取体４と開閉機５の伝動連結部、開閉機５、自動閉鎖装置６、手動閉鎖装置７のワイヤＷは、開口部上方の外側（ガイドレール３の上方の外側）に位置して前記延出部位内に収容されており、前記延出部位の少なくとも前面８６を含む部位が分割部８´として取り外し可能に構成されている（図１０、図１１参照）。すなわち、シャッターケース８は、ケース本体と、ケース本体に対して着脱可能な分割部８´と、から構成され、本実施形態では、分割部８´は、前記延出部位の前面部８６及び下面部８７から側面視Ｌ形状に形成されている。
【００３３】
ケース本体の上面８０は、シャッターケース８の全幅に亘って延びているが、ケース本体の前面８１´は延出部位まで延びておらず、ケース本体の前面８１´と分割部８´の前面部８６からシャッターケースの前面８１が形成されている。シャッターケース８の下面８２は延出部位までは延びておらず、ケース本体の延出部位の下面は分割部８´の下面部８７から形成される。すなわち、シャッターケース８の上面８０、前面８１、下面８２、側面８３、８４、後面８５において、上面８０、下面８２、側面８３、８４、後面８５はケース本体から形成されているが、前面８１はケース本体の前面８１´と分割部８´の前面部８６から形成されている。シャッターケース８の延出部位の上面８０、側面８４、後面８５はケース本体から形成されており、延出部位の前面、下面は、分割部８´の前面部８６、下面部８７から形成されている。
【００３４】
図１２に示すように、分割部８´の前面部８６は、正面視横長方形状の垂直板部であり、垂直状の第１側縁８６０、垂直状の第２側縁８６１、水平状の上縁８６２を備えており、下端から下面部８７が後方に向かって一体的に水平に延びている。
【００３５】
分割部８´の下面部８７は、底面視略横長方形状の水平板部であり、第１側縁８７０、第２側縁８７１、後縁８７２を備え、前端から前面部８６が一体的に垂直に立ち上がり形成されている。下面部８７の第１側縁８７０は後縁８７２側に位置して切り欠かれており、ワイヤ収納部９の上端を受け入れるようになっている。
【００３６】
前面部８６において、第１側縁８６０、第２側縁８６１、上縁８６２の近傍領域からなる三方の周縁部には、複数の孔８６３〜８６８が形成されている（図１０（Ｂ）、図１２（Ｃ））。より具体的には、一方の側方周縁部には高さ方向に間隔を設けて孔８６３、８６４が形成されている。他方の側方周縁部には高さ方向に間隔を設けて孔８６５、８６６が形成されており、上側周縁部には幅方向に間隔を設けて孔８６７、８６８が形成されている。
【００３７】
下面部８７において、第１側縁８７０の近傍領域からなる周縁部には孔８７３が形成されており、第２側縁８７１の近傍領域からなる周縁部には孔８７４が形成されている（図１２（Ｄ））。さらに、下面部８７には、後縁８７２の近傍領域からなる周縁部に位置して螺子孔８７６、８７７が形成されており、下面部８７の後端部位は側面視Ｌ形状の取付部材８７５に螺子８７８を用いて固定される（図１３参照）。
【００３８】
前面部８６の幅方向中央の上端部位には、裏面から後方に水平に突出するように軸状部材８８が突設されている。軸状部材８８は、軸部８８０と、軸部８８０の先端側の大径部８８１と、軸部８８０の基端の大径部８８２からなる。本実施形態では、軸状部材８８は、雄ねじからなる軸部８８０と、軸部８８０の雄ねじに螺合させた２つのナット（大径部８８１、８８２）からなる。基端の大径部８８２を構成するナットは軸状部材８８の前面部８６に対する固定手段としても機能する。軸状部材８８の頭部８８３は、分割部８´をケース本体に取り付けるための螺子８９と識別可能な形状を有している。こうすることで、分割部８´を取り外す際に、誤って軸状部材８８を取り外そうとすることを防止している。本実施形態では、軸状部材８８の頭部８８３は六角穴であり、螺子８９の頭部は十字穴である。
【００３９】
ケース本体の延出部位の前面には、一方の側方周縁部８１０、他方の側方周縁部８１１、上側周縁部８１２からなる三方の周縁見付部が形成されている。側方周縁部８１０には高さ方向に間隔を設けて螺子孔８１３、８１４が形成され、側方周縁部８１１には高さ方向に間隔を設けて螺子孔８１５、８１６が形成され、上側周縁部８１２には、幅方向に間隔を設けて螺子孔８１７、８１８が形成されている。
【００４０】
ケース本体の延出部位の下面には、一方の側方周縁部８２０、他方の側方周縁部８２１が形成されている。側方周縁部８２０（図９参照）、側方周縁部８２１（図１１参照）にはそれぞれ螺子孔（図示せず）が形成されている。
【００４１】
側方周縁部８１０、側方周縁部８２０は、ケース本体の前面８１´の側端縁８１０´及び下面８２の端部に設けた側面視Ｌ形状の帯状部材から形成されている（図９参照）。側方周縁部８１１、側方周縁部８２１は、それぞれ、ケース本体の側面８４の周縁を折り曲げてなる折り曲げ片から形成されている（図１１参照）。上側周縁部８１２は、上面８０の傾斜面８０１の延出部位から垂下する垂下片からなる（図１１等参照）。
【００４２】
上側周縁部８１２は、幅方向の中央に位置して孔８１９が形成されている。孔８１９の径は、軸状部材８８の先端側の大径部８８１の外径、及び、軸部８８０の基端の大径部８８２の外径よりも僅かに大きい寸法を有している。分割部８´は、軸状部材８８をケース本体の延出部位の上側周縁部８１２に形成された孔８１９に差し込んで、基端の大径部８８２を孔８１９に嵌めた状態で、周縁部の複数ヵ所においてケース本体の周縁見付部（側方周縁部８１０、側方周縁部８１１、上側周縁部８１２）、側方周縁下面部（側方周縁部８２０、側方周縁部８２１）に螺子８９で固定される。
【００４３】
分割部８´の裏面に突設した軸状部材８８の基端の大径部８８２が孔８１９に嵌まった状態において、分割部８´の前面部８６の三方の周縁部をケース本体の三方の周縁見付部（８１０、８１１、８１２）に重ね、下面部８７の側方の周縁部をケース本体の側方周縁部８２０、８２１に重ねた時に、孔８６３〜８６８と螺子孔８１３〜８１８、孔８７３、８７４と側方周縁部８２０、８２１に形成された螺子孔が一致するようになっている。軸状部材８８の基端の大径部８８２を孔８１９に嵌めることで分割部８´はケース本体に対して仮吊持状態となり（正面ケース板を押さえながら螺子を外したり、螺入させる必要が無い）、同時に、ケース本体に対する分割部８´の位置決めが行われ、螺子８９の螺入の作業性及び分割部８´の取付作業性が向上する。
【００４４】
分割部８´をケース本体に取り付けた状態では、後面８５の下端の外面は外まぐさ４８の上端部位に固定され、分割部８´の下面部８７の後端部位は側面視Ｌ形状の取付部材８７５を介して外まぐさ４８の下端部位に固定されている（図１３参照）。なお、ケース本体の後面８５の下端の内面には、幅方向に延びる遮煙材８５０及び遮煙材押え板８５１が固定されているが、遮煙材８５０及び遮煙材押え板８５１は開口部の上方部位に位置して設けられ、シャッターケース８の延出部位までは延びていない。
【００４５】
図１、図８に示すように、正面視において、ガイドレール３の見付面３０と枠体９´の見付面９０の境界から形成された垂直線Ｌ１と、ケース本体の前面８１´と分割部８´の前面部８６の境界（ケース本体の側端縁８１０´と前面部８６の第１側縁８６０の境界）から形成される垂直線Ｌ２は連続して垂直状に延びており、正面から見た時の意匠性を向上している。
【００４６】
本実施形態では、シャッターケース８の延出部位の少なくとも前面を分割部８´として取り外し可能としたことで、分割部８´を取り外すことで、巻取体４と開閉機５の伝動連結部、開閉機５、自動閉鎖装置６、手動閉鎖装置７のワイヤＷの上方の配線、ワイヤ収容部９の上端部位を露出させることができる（図１１）。したがって、分割部８´を取り外すことで、これらの要素のメンテナンス作業や、ワイヤＷの配線を行うことができ、メンテナンス作業性、ワイヤＷの配線作業性が向上する。
【００４７】
軸状部材８８と孔８１９は、分割部８´の落下防止の役割を有している。 分割部８´をケース本体から取り外した時に、上側周縁部８１２の孔８１９に軸状部材８８が係止して、分割部８´が吊持状態となり、分割部８´の落下を防止する。すなわち、軸状部材８８は落下防止要素である。
【００４８】
ケース本体から分割部８´を取り外すと、分割部８´（重心位置をＰで示す）は自重により、下方部位が前方に移動するよう移動するが（図１４（Ａ））、この移動方向は、孔８１９に軸状部材８８の基端の大径部８８２が引っ掛かる方向への移動であり、分割部８´は落下することなく吊持される。
【００４９】
分割部８´がケース本体から取り外された状態で、分割部８´は、下方部位が前方に移動した姿勢から後方に移動し得るが（図１４（Ｂ））、この時、軸状部材８８が孔８１９から外れる方向に移動したとしても、分割部８´は、孔８１９に位置する小径の軸部８８０を視点として吊持された状態となるため、先端の大径部８８１が孔８１９の周縁に係止することで落下が防止される。
【符号の説明】
【００５０】
１  シャッターカーテン
２  ガイドレール
３  ガイドレール
４  巻取体
４３  駆動軸
５  開閉機
５２  出力軸
６  自動閉鎖装置
７  手動閉鎖装置
７０  操作部
８  シャッターケース
８´  分割部
８６  前面部
８７  下面部
９  ワイヤ収容部
Ｗ  ワイヤ
【図１】
2020051177.tif 000003
【図２】
2020051177.tif 000004
【図３】
2020051177.tif 000005
【図４】
2020051177.tif 000006
【図５】
2020051177.tif 000007
【図６】
2020051177.tif 000008
【図７】
2020051177.tif 000009
【図８】
2020051177.tif 000010
【図９】
2020051177.tif 000011
【図１０】
2020051177.tif 000012
【図１１】
2020051177.tif 000013
【図１２】
2020051177.tif 000014
【図１３】
2020051177.tif 000015
【図１４】
2020051177.tif 000016